(57)【要約】【課題】消費電力を低減することができる電気光学装置及びその駆動方法並びに電子機器を提供する。【解決手段】液晶表示装置は、複数の走査線Ｙｉと、複数のデータ線Ｘｊと、走査線Ｙｉ及びデータ線Ｘｊの各交差部に配設された画素電極２１と、画素電極に対向配置された対向電極とを備えており、対向電極は所定電位に設定されている。記憶回路２５は、データ線Ｘｊから画素電極２１に極性信号の論理に応じて供給されたデータ信号の階調に相当する論理を記憶する。電源選択回路１７は、極性信号の論理の切り替えに基づき記憶回路２５に供給する電源を切り替える。読み出し回路２６は、極性信号の論理の切り替えに基づき記憶回路２５に記憶された論理の読み出しを切り替えて画素電極２１に供給する。【選択図】        図１
2005010617.tif 000002
【特許請求の範囲】
【請求項１】
複数の走査線と、該走査線に交差する複数のデータ線と、該走査線及び該データ線の各交差部に配設された画素電極と、該画素電極に対向配置された対向電極と、該画素電極及び該対向電極の間に介装された電気光学物質とを備えた電気光学装置において、
前記対向電極は所定電位に設定されてなり、
前記データ線から前記画素電極に極性信号の論理に応じて供給されたデータ信号の階調に相当する論理を記憶する記憶手段と、
前記極性信号の論理の切り替えに基づき該記憶手段に供給する電源を切り替える電源選択手段と、
前記極性信号の論理の切り替えに基づき、前記記憶手段に記憶された論理の読み出しを切り替えて前記画素電極に供給する読み出し手段とを備えたことを特徴とする電気光学装置。
【請求項２】
前記電源選択手段は、前記極性信号の論理に応じて前記記憶手段の各論理の電位を１組とする２組からいずれか１組を選択して該記憶手段に供給することを特徴とする請求項１に記載の電気光学装置。
【請求項３】
前記極性信号の論理に応じて、前記画素電極に供給されるデータ信号の各階調の電位を１組とする２組からいずれか１組を選択する階調電源選択手段を備えたことを特徴とする請求項１又は２に記載の電気光学装置。
【請求項４】
前記画素電極に供給されるデータ信号の各組の階調の電位の一方は、対向電極電位に設定されていることを特徴とする請求項３に記載の電気光学装置。
【請求項５】
動作モードを動画モード及び静止画モードのいずれかに選択する制御手段と、
前記制御手段により静止画モードが選択されているとき、前記走査線の選択に伴う前記画素電極へのデータ信号の供給を不許可とする選択許可手段とを備え、
前記制御手段により静止画モードが選択されているとき、前記階調電源選択手段は、前記極性信号の論理に応じた前記データ信号の各階調の電位の選択を行わないことを特徴とする請求項３又は４に記載の電気光学装置。
【請求項６】
前記制御手段により静止画モードが選択されているとき、前記走査線の選択に伴い前記極性信号を前記電源選択手段及び前記読み出し手段に供給するとともに、該走査線の非選択に伴い前記極性信号を保持して該電源選択手段及び該読み出し手段に供給する極性信号処理手段を備えたことを特徴とする請求項５に記載の電気光学装置。
【請求項７】
前記制御手段により静止画モードが選択されているとき、走査線駆動回路は極性反転回路として動作し、前記走査線は１本ごとに順次選択され、前記極性信号処理手段により極性が順次反転され、
前記制御手段により静止画モードが選択されているときの前記走査線の選択周期は、前記動画モードが選択されているときの該走査線の選択周期よりも長く設定されていることを特徴とする請求項６に記載の電気光学装置。
【請求項８】
複数の走査線と、該走査線に交差する複数のデータ線と、該走査線及び該データ線の各交差部に配設された画素電極と、該画素電極に対向配置された対向電極と、該画素電極及び該対向電極の間に介装された電気光学物質とを備えた電気光学装置の駆動方法において、
前記データ線から供給されたデータ信号の階調に相当する論理を記憶する記憶手段を備え、
前記対向電極を所定電位に設定し、
極性信号の論理の切り替えに基づき、該記憶手段に供給する電源を切り替え、
前記極性信号の論理の切り替えに基づき、前記記憶手段に記憶された論理の読み出しを切り替えて前記画素電極に供給することを特徴とする電気光学装置の駆動方法。
【請求項９】
請求項１乃至７のいずれか一項に記載の電気光学装置を具備してなることを特徴とする電子機器。
【発明の詳細な説明】
【０００１】
【発明の属する技術分野】
本発明は、電気光学装置及びその駆動方法並びに電子機器に関するものである。
【０００２】
【従来の技術】
従来、液晶表示装置などの電気光学装置において、省電力化を実現するために各画素内にメモリを備えたものが知られている（例えば特許文献１など）。
【０００３】
図８は、こうした液晶表示装置の一例を示す回路図であり、図９は同装置の駆動態様を示すタイムチャートである。図８に示されるように、この液晶表示装置は、複数の走査線対Ｙａｉ，Ｙｂｉ（ｉ＝１〜ｎの自然数）と、これらに交差する複数のデータ線Ｘｊ（ｊ＝１〜ｍの自然数）とを備えている。そして、各走査線対Ｙａｉ，Ｙｂｉ及びデータ線Ｘｊの各交差部に対応してそれぞれ画素Ｐｉｊが形成されている。
【０００４】
各画素Ｐｉｊは、画素電極９１と、全画素に共通して対向電極信号ＣＯＭが供給される対向電極９２との間に液晶が挟持されて液晶容量素子９３を形成している。また、各画素Ｐｉｊは、アナログスイッチ９４と、ラッチ回路９５と、読み出し回路９６とを備えている。そして、データ線Ｘｊは、アナログスイッチ９４、ラッチ回路９５及び読み出し回路９６を介して画素電極９１と接続されている。
【０００５】
アナログスイッチ９４は、走査線対Ｙａｉ，Ｙｂｉに接続されており、一方の走査線対Ｙａｉにハイレベルとなる走査信号ＷＲＴが供給されるとともに、他方の走査線対Ｙｂｉにローレベルとなるその反転信号ＷＲＴＸが供給されることでオンする。これにより、画素電極９１にはデータ線Ｘｊを経由して諧調に相当する論理が読み込まれる。
【０００６】
ラッチ回路９５は２個のインバータ９５ａ，９５ｂで構成されており、プラス側及びマイナス側の２本の電源供給線９７ａ，９７ｂによって給電されている。ラッチ回路９５は、論理の読み取り後にアナログスイッチ９４がオフしたときに当該論理を保持する。
【０００７】
読み出し回路９６は、Ｎチャネル型ＴＦＴ９６ａ及びＰチャネル型ＴＦＴ９６ｂによって構成されており、これらＴＦＴの各ドレインが画素電極９１に接続されている。また、Ｎチャネル型ＴＦＴ９６ａのソースがインバータ９５ｂの出力端子に接続されるとともに、Ｐチャネル型ＴＦＴ９６ｂのソースがインバータ９５ａの出力端子に接続されている。そして、これらＴＦＴの各ゲートは極性線９８に接続されており、極性線９８を介して周期的に極性反転する極性信号ＰＯＬが供給されている。従って、これらＮチャネル型ＴＦＴ９６ａ及びＰチャネル型ＴＦＴ９６ｂは、極性線９８に供給される極性信号ＰＯＬのレベル（極性）に応じていずれか一方がオンする。すなわち、ラッチ回路９５による論理の保持状態において、極性信号ＰＯＬがハイレベルのときには、Ｎチャネル型ＴＦＴ９６ａがオンしてインバータ９５ｂから出力される論理が画素電極９１に出力される。一方、極性信号ＰＯＬがローレベルのときには、Ｐチャネル型ＴＦＴ９６ｂがオンしてインバータ９５ａから出力される論理が画素電極９１に出力される。このように極性線９８に供給される極性信号ＰＯＬのレベルに応じて読み取り時の論理若しくはその反転論理を画素電極９１に与えるのは、液晶の交流駆動のために液晶に与える電界を切り替えるためである。
【０００８】
このような構成において、各画素を駆動する際の動作について図９を併せ参照して説明する。なお、画素電極９１に読み込まれる論理は、極性信号ＰＯＬがハイレベルのときには、黒表示に対応して電位ＶＤＤを有し、白表示に対応して電位ＶＳＳ（＜ＶＤＤ）を有する。また、画素電極９１に読み込まれる論理は、極性信号ＰＯＬがローレベルのときには、黒表示に対応して電位ＶＳＳを有し、白表示に対応して電位ＶＤＤを有する。
【０００９】
一方、電源供給線９７ａ，９７ｂを介してラッチ回路９５に供給される各電源電圧は、電位ＶＤＤ，ＶＳＳに設定されている。従って、ラッチ回路９５に保持される論理は、ハイレベル及びローレベルにおいてそれぞれ電位ＶＤＤ，ＶＳＳを有する。そして、ラッチ回路９５（インバータ９５ａ，９５ｂ）は、保持する論理に対応してハイレベルとなる電位ＶＤＤ及びローレベルとなる電位ＶＳＳを読み出し回路９６に出力する。
【００１０】
すなわち、極性信号ＰＯＬがハイレベルのときには、ラッチ回路９５はＮチャネル型ＴＦＴ９６ａを介して黒表示用にハイレベルの電位ＶＤＤを画素電極９１に出力し、あるいは白表示用にローレベルの電位ＶＳＳを画素電極９１に出力する。そして、この保持状態で極性信号ＰＯＬがローレベルに切り替わると、ラッチ回路９５はＰチャネル型ＴＦＴ９６ｂを介して黒表示用にローレベルの電位ＶＳＳを画素電極９１に出力し、あるいは白表示用にハイレベルの電位ＶＤＤを画素電極９１に出力する。極性信号ＰＯＬがローレベルからハイレベルに切り替わる場合についても同様である。
【００１１】
ここで、対向電極９２に供給される対向電極信号ＣＯＭの電位も、極性信号ＰＯＬのレベルに対応して推移する。すなわち、極性信号ＰＯＬがハイレベルのときに対向電極信号ＣＯＭは電位ＶＳＳよりも小さい所定電位Ｖｍに設定され、極性信号ＰＯＬがローレベルのときに電位ＶＤＤよりも大きい所定電位Ｖｐに設定される。このような対向電極信号ＣＯＭの電位の極性信号ＰＯＬに応じた同期反転は、液晶の交流駆動に際してラッチ回路９５が２水準の論理（レベル）しかとれないことに対応するためである。
【００１２】
これにより、黒表示において極性信号ＰＯＬがハイレベルのときには画素電極９１及び対向電極９２間に電圧（ＶＤＤ−Ｖｍ）が印加され、極性信号ＰＯＬがローレベルのときには画素電極９１及び対向電極９２間に電圧（Ｖｐ−ＶＳＳ）が印加される。また、白表示において極性信号ＰＯＬがハイレベルのときには画素電極９１及び対向電極９２間に電圧（ＶＳＳ−Ｖｍ）が印加され、極性信号ＰＯＬがローレベルのときには画素電極９１及び対向電極９２間に電圧（Ｖｐ−ＶＤＤ）が印加される。以上により、液晶の交流駆動をしつつ画素Ｐｉｊにおける階調が保持される。
【００１３】
【特許文献１】
特開平８−２８６１７０号公報（第１０図）
【００１４】
【発明が解決しようとする課題】
ところで、液晶の交流駆動に対応するために、全画素に共通して供給される対向電極信号ＣＯＭの電位を極性信号ＰＯＬに応じて同期反転させる場合、対向電極９２全体としての負荷容量が大きくなることからその反転動作時のピーク電流は大きくなる。一般的に、電源はピーク電流を考慮して設計されるため、上記反転動作時のピーク電流に対応して十分に大きな駆動能力を有する電源を採用する必要がある。このため、電源の駆動能力の増大に伴いその消費電力が増大することになっている。
【００１５】
本発明の目的は、消費電力を低減することができる電気光学装置及びその駆動方法並びに電子機器を提供することにある。
【００１６】
【課題を解決するための手段】
本発明の電気光学装置は、上記課題を解決するため、複数の走査線と、該走査線に交差する複数のデータ線と、該走査線及び該データ線の各交差部に配設された画素電極と、該画素電極に対向配置された対向電極と、該画素電極及び該対向電極の間に介装された電気光学物質とを備えた電気光学装置において、前記対向電極は所定電位に設定されてなり、前記データ線から前記画素電極に極性信号の論理に応じて供給されたデータ信号の階調に相当する論理を記憶する記憶手段と、前記極性信号の論理の切り替えに基づき該記憶手段に供給する電源を切り替える電源選択手段と、前記極性信号の論理の切り替えに基づき、前記記憶手段に記憶された論理の読み出しを切り替えて前記画素電極に供給する読み出し手段とを備えている。
【００１７】
本発明の電気光学装置によれば、電源選択手段により記憶手段には、極性信号の論理の切り替えに基づき切り替えられた電源が供給される。同時に、画素電極には、読み出し手段により記憶手段に記憶された論理の読み出しが切り替えられて供給される。つまり、画素電極には、極性信号の論理の切り替えに対し、同一階調となる逆極性の電位が供給される。これにより、対向電極を所定電位に設定・保持したまま、極性信号に基づき画素電極及び対向電極間の電界を切り替えて電気光学物質の交流駆動が実現される。このとき、負荷容量が大きな対向電極を極性反転させる必要がないため、極性の切り替え時のピーク電流の発生が抑制され、その分、駆動能力の小さな電源を採用することができる。そして、電源の駆動能力の低減に伴いその消費電力が低減される。
【００１８】
本発明の電気光学装置の一態様では、前記電源選択手段は、前記極性信号の論理に応じて前記記憶手段の各論理の電位を１組とする２組からいずれか１組を選択して該記憶手段に供給する。
【００１９】
この態様によれば、電源選択手段は、前記極性信号の論理に応じて前記記憶手段の各論理の電位を１組とする２組からいずれか１組を選択して該記憶手段に供給する極めて簡易な構成とされる。
【００２０】
本発明の電気光学装置の他の一態様では、前記極性信号の論理に応じて、前記画素電極に供給されるデータ信号の各階調の電位を１組とする２組からいずれか１組を選択する階調電源選択手段を備えている。
【００２１】
この態様によれば、画素電極に供給されるデータ信号は、極性信号の論理に応じて、各階調の電位を１組とする２組からいずれか１組を選択する極めて簡易な構成でその電位が設定される。
【００２２】
本発明の電気光学装置の他の一態様では、前記画素電極に供給されるデータ信号の各組の階調の電位の一方は、対向電極電位に設定されている。
この態様によれば、画素電極に供給されるデータ信号の各組の階調の電位の一方が前記対向電極と同じ所定電位（対向電極電位）に設定されることで、必要な電位の種類が低減される分、電源供給のための構成が簡易化される。
【００２３】
本発明の電気光学装置の他の一態様では、動作モードを動画モード及び静止画モードのいずれかに選択する制御手段と、前記制御手段により静止画モードが選択されているとき、前記走査線の選択に伴う前記画素電極へのデータ信号の供給を不許可とする選択許可手段とを備え、前記制御手段により静止画モードが選択されているとき、前記階調電源選択手段は、前記極性信号の論理に応じた前記データ信号の各階調の電位の選択を行わない。
【００２４】
この態様によれば、制御手段により静止画モードが選択されているとき、前記階調電源選択手段による極性信号の論理に応じた前記データ信号の各階調の電位の選択を行わないことで、同選択動作のための駆動が不用になる分、消費電力が低減される。
【００２５】
本発明の電気光学装置の他の一態様では、前記制御手段により静止画モードが選択されているとき、前記走査線の選択に伴い前記極性信号を前記電源選択手段及び前記読み出し手段に供給するとともに、該走査線の非選択に伴い前記極性信号を保持して該電源選択手段及び該読み出し手段に供給する極性信号処理手段を備えている。
【００２６】
この態様によれば、静止画モードでは、走査線の選択・非選択に応じて前記極性信号の前記電源選択手段及び前記読み出し手段への供給・保持が切り替えられる。従って、例えば１フレームごとに極性信号を反転させる場合、走査線の順次選択に合わせて論理反転した極性信号が供給され、選択後に保持されることにより、電気光学物質の交流駆動が実現される。これにより、静止画モードにおいて、前記極性信号を前記電源選択手段及び前記読み出し手段に供給し、若しくは保持するための構成が簡易化される。
【００２７】
本発明の電気光学装置の他の一態様では、前記走査線は１本ごとに順次選択され、前記極性信号処理手段により極性が順次反転される。前記制御手段により静止画モードが選択されているときの前記走査線の選択周期は、該動画モードが選択されているときの該走査線の選択周期よりも長く設定されている。このとき走査線駆動回路は極性反転回路として機能している。
【００２８】
この態様によれば、前記制御手段により静止画モードが選択されているときの前記走査線の選択周期が長く設定される分、同選択動作のための消費電力が低減される。
【００２９】
本発明の電気光学装置の駆動方法は、複数の走査線と、該走査線に交差する複数のデータ線と、該走査線及び該データ線の各交差部に配設された画素電極と、該画素電極に対向配置された対向電極と、該画素電極及び該対向電極の間に介装された電気光学物質とを備えた電気光学装置の駆動方法において、前記データ線から供給されたデータ信号の階調に相当する論理を記憶する記憶手段を備え、前記対向電極を所定電位に設定し、前記極性信号の論理の切り替えに基づき、該記憶手段に供給する電源を切り替え、前記極性信号の論理の切り替えに基づき、前記記憶手段に記憶された論理の読み出しを切り替えて前記画素電極に供給する。
【００３０】
本発明の電気光学装置の駆動方法によれば、記憶手段には、極性信号の論理の切り替えに基づき、電源が切り替えられて供給される。同時に、画素電極には、記憶手段に記憶された論理の読み出しが切り替えられて供給される。つまり、画素電極には、極性信号の論理の切り替えに対し、同一階調となる逆極性の電位が供給される。これにより、対向電極を所定電位に設定・保持したまま、極性信号に基づき画素電極及び対向電極間の電界を切り替えて電気光学物質の交流駆動が実現される。このとき、負荷容量が大きな対向電極を極性反転させる必要がないため、極性の切り替え時のピーク電流の発生が抑制され、その分、駆動能力の小さな電源を採用することができる。そして、電源の駆動能力の低減に伴いその消費電力が低減される。
【００３１】
本発明の電子機器は、上述の本発明の電気光学装置（但し、その各種態様を含む。）を具備してなる。
本発明の電子機器によれば、消費電力を低減した画像表示を実現することができる。
【００３２】
【発明の実施の形態】
（第１実施形態）
以下、本発明を液晶表示装置に適用した第１実施形態について図を参照しつつ説明する。
【００３３】
図１は、本実施形態の液晶表示装置の電気的構成を示すブロック図である。同図に示されるように、この液晶表示装置は、信号線制御回路１０と、液晶パネル１１と、走査線駆動回路１２と、データ線駆動回路１３と、データ線駆動回路１３に後述の電源電圧を選択的に供給する階調電源選択回路１４とを備えている。
【００３４】
液晶パネル１１は、走査線駆動回路１２に一端が接続された複数の走査線Ｙｉ（ｉ＝１〜ｎの自然数）と、データ線駆動回路１３に一端が接続されてこれら走査線Ｙｉに交差する複数のデータ線Ｘｊ（ｊ＝１〜ｍの自然数）とを備えている。そして、各走査線Ｙｉには、選択許可回路１５、ラッチ回路１６及び電源選択回路１７がそれぞれ設けられている。また、液晶パネル１１には、走査線Ｙｉ及びデータ線Ｘｊの各交差部に対応してそれぞれ画素Ｐｉｊが形成されている。
【００３５】
なお、図１においては、液晶パネル１１における各１本の走査線Ｙｉ及びデータ線Ｘｊ並びに１つの画素Ｐｉｊを代表して示している。実際には、走査線数（ｎ本）及びデータ線数（ｍ本）に対応して（ｎ×ｍ）個の画素Ｐｉｊが存在する。各画素Ｐｉｊは、画素電極２１と、標本化回路２４と、記憶回路２５と、読み出し回路２６とを備えている。そして、データ線Ｘｊは、標本化回路２４、記憶回路２５及び読み出し回路２６を介して画素電極２１と接続されている。
【００３６】
走査線駆動回路１２は信号線制御回路１０に接続されており、各種制御信号が入力されている。走査線駆動回路１２は、信号線制御回路１０からの制御信号に基づき複数の走査線Ｙｉから１本を順次選択するための走査信号を走査線Ｙｉに対して出力する。この走査信号は、当該走査線Ｙｉの選択期間においてハイレベルに設定されるとともに、非選択期間においてローレベルに設定される。
【００３７】
データ線駆動回路１３は信号線制御回路１０に接続されており、各種制御信号及び映像信号が入力されている。データ線駆動回路１３は、信号線制御回路１０からの制御信号に基づき各データ線Ｘｊに対して映像信号に応じたデータ信号をそれぞれ出力する。
【００３８】
図２は、液晶表示装置の細部構成を示す電気回路図である。以下、図２を併せ参照して上記階調電源選択回路１４、選択許可回路１５、ラッチ回路１６、電源選択回路１７等について詳述する。
【００３９】
上記階調電源選択回路１４は極性線３１を介して信号線制御回路１０に接続されており、極性線３１を介して周期的に極性反転を繰り返す極性信号ＰＯＬが供給されている。また、階調電源選択回路１４は電源生成回路３２に接続されており、互いに異なる複数（本実施形態では４つ）の電位を有する電源電圧が供給されている。さらに、階調電源選択回路１４は、動作モード信号線３３を介して信号線制御回路１０に接続されており、動作モード信号線３３を介して画像の動作モードに応じたレベルを有する動作モード信号が供給されている。この動作モード信号は、動作モードが動画モードのときにはハイレベルに設定され、静止画モードのときにはローレベルに設定される。
【００４０】
階調電源選択回路１４は階調電源線３４を介してデータ線駆動回路１３に接続されており、動作モード信号がハイレベル（動画モード）のときには極性信号ＰＯＬのレベル（極性）に応じて選択される黒用及び白用の１組（２つ）の電位を有する電源電圧をデータ線駆動回路１３に供給する。データ線駆動回路１３は、信号線制御回路１０からの制御信号に基づき映像信号をサンプリングしてその結果により、選択されている１組における黒用若しくは白用の電位を有する電源電圧をデータ信号としてデータ線Ｘｊに出力する。すなわち、データ線Ｘｊに出力される黒用若しくは白用の電位を有する電源電圧（データ信号）は、極性信号ＰＯＬのレベルによって切り替えられる。
【００４１】
詳述すると、図２に示されるように、階調電源選択回路１４は、ＮＡＮＤ回路４１と、電源生成回路３２により電位ＶＤＤ＋，ＶＳＳ＋，ＶＳＳ−，ＶＤＤ−を有する各電源電圧がそれぞれ印加されたアナログスイッチ４２，４３，４４，４５とを備えている。そして、アナログスイッチ４２，４４は階調電源線３４の黒表示用電源線３４ａを介してデータ線駆動回路１３に接続されており、アナログスイッチ４３，４５は階調電源線３４の白表示用電源線３４ｂを介してデータ線駆動回路１３に接続されている。
【００４２】
ＮＡＮＤ回路４１の一方の入力端子は極性線３１に接続されており、他方の入力端子は動作モード信号線３３に接続されている。そして、ＮＡＮＤ回路４１の出力端子はこれらアナログスイッチ４２〜４５に接続されるとともに、インバータ４６を介して同アナログスイッチ４２〜４５に接続されている。アナログスイッチ４２，４３は、動作モード信号がハイレベルのときにローレベルの極性信号ＰＯＬが供給されると、ＮＡＮＤ回路４１の出力端子からハイレベルの信号が出力されることでオンする。これにより、上記黒表示用電源線３４ａを介してデータ線駆動回路１３に電位ＶＤＤ＋を有する電源電圧が供給されるとともに、白表示用電源線３４ｂを介してデータ線駆動回路１３に電位ＶＳＳ＋を有する電源電圧が供給される。そして、データ線駆動回路１３は、上記映像信号に基づき黒用の電位ＶＤＤ＋を有する電源電圧若しくは白用の電位ＶＳＳ＋を有する電源電圧をデータ信号としてデータ線Ｘｊに出力する。
【００４３】
一方、アナログスイッチ４４，４５は、動作モード信号がハイレベルのときにハイレベルの極性信号ＰＯＬが供給されると、ＮＡＮＤ回路４１の出力端子からローレベルの信号が出力されることでオンする。これにより、上記黒表示用電源線３４ａを介してデータ線駆動回路１３に電位ＶＳＳ−を有する電源電圧が供給されるとともに、白表示用電源線３４ｂを介してデータ線駆動回路１３に電位ＶＤＤ−を有する電源電圧が供給される。そして、データ線駆動回路１３は、上記映像信号に基づき黒用の電位ＶＳＳ−を有する電源電圧若しくは白用の電位ＶＤＤ−を有する電源電圧をデータ信号としてデータ線Ｘｊに出力する。
【００４４】
なお、動作モード信号がローレベルのときには、供給される極性信号ＰＯＬのレベル（ハイ若しくはローレベル）に関わらずＮＡＮＤ回路４１の出力端子からハイレベルの信号が出力され、アナログスイッチ４２，４３がオンする。これにより、上記黒表示用電源線３４ａを介してデータ線駆動回路１３に電位ＶＤＤ＋を有する電源電圧が供給されるとともに、白表示用電源線３４ｂを介してデータ線駆動回路１３に電位ＶＳＳ＋を有する電源電圧が供給される。
【００４５】
上記選択許可回路１５は、走査線Ｙｉを介して走査線駆動回路１２に接続されている。走査線駆動回路１２は、各走査線Ｙｉの選択・非選択に応じてそれぞれハイレベル及びローレベルの電位を有する走査信号を当該走査線Ｙｉの選択許可回路１５に出力する。また、選択許可回路１５は、動作モード信号線３３を介して信号線制御回路１０に接続されており、動作モード信号が供給されている。さらに、選択許可回路１５は、走査線Ｙｉの走査線対Ｙａｉ，Ｙｂｉを介して画素Ｐｉｊの標本化回路２４に接続されている。選択許可回路１５は、ハイレベルとなる走査信号及び動作モード信号が供給されたときに、データ線Ｘｊに出力されたデータ信号を当該走査線Ｙｉ上にある画素Ｐｉｊの画素電極２１に供給すべく標本化回路２４をオンする。
【００４６】
詳述すると、図２に示されるように、この選択許可回路１５は、ＮＡＮＤ回路５１を備えており、その一方の入力端子は走査線Ｙｉに接続されるとともに、他方の入力端子は動作モード信号線３３に接続されている。そして、ＮＡＮＤ回路５１の出力端子は、インバータ５２を介して一方の走査線対Ｙａｉに接続されるとともに他方の走査線対Ｙｂｉに接続されている。従って、動作モード信号がハイレベル（動画モード）のときにハイレベルの走査信号が供給される（選択状態）と、ＮＡＮＤ回路４１の出力端子からローレベルの信号が出力される。これにより、一方の走査線対Ｙａｉにインバータ５２を介してハイレベルとなる走査信号ＷＲＴが供給されるとともに、他方の走査線対Ｙｂｉにローレベルとなるその反転信号ＷＲＴＸが供給され、これら走査線対Ｙａｉ，Ｙｂｉに接続された標本化回路２４はオンする。そして、データ線Ｘｊを経由して映像信号に応じた電位を有するデータ信号が当該走査線Ｙｉ上にある画素Ｐｉｊの画素電極２１に供給されて同データ信号が読み込まれる。
【００４７】
なお、動作モード信号がハイレベル（動画モード）のときにローレベルの走査信号が供給される（非選択状態）と、ＮＡＮＤ回路４１の出力端子からハイレベルの信号が出力される。これにより、一方の走査線対Ｙａｉにインバータ５２を介してローレベルとなる走査信号ＷＲＴが供給されるとともに、他方の走査線対Ｙｂｉにハイレベルとなるその反転信号ＷＲＴＸが供給され、これら走査線対Ｙａｉ，Ｙｂｉに接続された標本化回路２４はオフする。従って、当該走査線Ｙｉ上にある画素Ｐｉｊの画素電極２１に対しデータ信号が供給されることはない。同様に、動作モード信号がローレベル（静止画モード）のときには、供給される走査信号のレベル（ハイ若しくはローレベル）に関わらずＮＡＮＤ回路４１の出力端子からハイレベルの信号が出力される。これにより、上記に準じて標本化回路２４がオフし、全ての画素Ｐｉｊの画素電極２１に対しデータ信号が供給されることはない。
【００４８】
ラッチ回路１６は、走査線Ｙｉを介して走査線駆動回路１２に接続されており、走査信号が供給されている。また、ラッチ回路１６は極性線３１を介して信号線制御回路１０に接続されており、極性信号ＰＯＬが供給されている。さらに、ラッチ回路１６は当該走査線Ｙｉ上の電源選択回路１７及び画素Ｐｉｊの読み出し回路２６に接続されている。ラッチ回路１６は、ハイレベルの走査信号が供給されることで極性信号ＰＯＬを電源選択回路１７及び読み出し回路２６に出力するとともに、ローレベルの走査信号が供給されることでローレベルに切り替わる直前の極性信号ＰＯＬの極性を保持して電源選択回路１７及び読み出し回路２６に出力する。
【００４９】
詳述すると、図２に示されるように、ラッチ回路１６は、極性線３１に接続されたアナログスイッチ６１と、２個のインバータ６２ａ，６２ｂで構成された記憶回路部６２とを備えている。アナログスイッチ６１は走査線Ｙｉと接続されており、ハイレベルとなる走査信号及びインバータ６３を介してその反転信号が供給されることでオンする。また、アナログスイッチ６１は、ローレベルとなる走査信号及びインバータ６３を介してその反転信号が供給されることでオフする。
【００５０】
記憶回路部６２はアナログスイッチ６１に接続されている。すなわち、インバータ６２ａの入力端子及びインバータ６２ｂの出力端子はアナログスイッチ６１に接続されている。さらに一方のインバータ６２ｂの各電源端子はそれぞれ走査線Ｙｉに接続されるとともにインバータ６３を介して走査線Ｙｉに接続されている。そして、インバータ６２ｂは、ハイレベルとなる走査信号及びインバータ６３を介してその反転信号が入力されることでインアクティブ状態（非活動状態）になる。また、インバータ６２ｂは、ローレベルとなる走査信号及びインバータ６３を介してその反転信号が入力されることでアクティブ状態（活動状態）になる。従って、アナログスイッチ６１をオンして極性信号ＰＯＬを供給する状態と、記憶回路部６２によるデータ（極性信号ＰＯＬのレベル）の保持状態は、互いに排他的に生じる。
【００５１】
アナログスイッチ６１及びインバータ６２ｂの出力端子は電源選択回路１７に接続されるとともに、インバータ６２ａの出力端子は電源選択回路１７に接続されている。従って、当該走査線Ｙｉにハイレベルの走査信号が供給されると、アナログスイッチ６１はオンして極性信号ＰＯＬが電源選択回路１７に供給されるとともにインバータ６２ａを介してその反転信号が電源選択回路１７に供給される。また、当該走査線Ｙｉにローレベルの走査信号が供給されると、アナログスイッチ６１はオフして極性信号ＰＯＬが遮断され、インバータ６２ｂはアクティブ状態になる。これにより、記憶回路部６２は、走査信号がローレベルに切り替わる直前の極性信号ＰＯＬのレベル（極性）を保持する。そして、このレベルを保持する信号が電源選択回路１７に供給されるとともにインバータ６２ａを介してその反転信号が電源選択回路１７に供給される。
【００５２】
なお、アナログスイッチ６１及びインバータ６２ｂの出力端子は、極性線３１ａを介して読み出し回路２６に接続されている（図３参照）。従って、当該走査線Ｙｉにハイレベルの走査信号が供給されると、アナログスイッチ６１はオンして極性信号ＰＯＬが極性線３１ａを介して読み出し回路２６に供給される。また、当該走査線Ｙｉにローレベルの走査信号が供給されると、アナログスイッチ６１はオフして極性信号ＰＯＬが遮断され、インバータ６２ｂはアクティブ状態になる。これにより、記憶回路部６２は、走査信号がローレベルに切り替わる直前の極性信号ＰＯＬのレベル（極性）を保持する。そして、このレベルを保持する信号が読み出し回路２６に供給される。
【００５３】
上記電源選択回路１７はラッチ回路１６に接続されており、ラッチ回路１６（アナログスイッチ６１）を介した極性信号ＰＯＬ及びその反転信号若しくはラッチ回路１６（記憶回路部６２）により保持された信号及びその反転信号が供給されている。また、電源選択回路１７は電源生成回路３２に接続されており、複数（４つ）の異なる電位を有する電源電圧が供給されている。電源選択回路１７は電源供給線３５を介して画素Ｐｉｊの記憶回路２５に接続されている。電源選択回路１７は、ラッチ回路１６を介した極性信号ＰＯＬ若しくはラッチ回路１６により保持された信号のレベルに応じて選択されるハイレベル用（プラス側用）及びローレベル用（マイナス側用）の１組（２つ）の電位を有する電源電圧を記憶回路２５に供給する。
【００５４】
詳述すると、図２に示されるように、電源選択回路１７は、電源生成回路３２により電位ＶＤＤ＋，ＶＳＳ＋，ＶＤＤ−，ＶＳＳ−を有する各電源電圧がそれぞれ印加されたアナログスイッチ７１，７２，７３，７４を備えている。そして、これらアナログスイッチ７１〜７４は、前記アナログスイッチ６１及びインバータ６２ｂの出力端子に接続されるとともにインバータ６２ａの出力端子に接続されている。また、アナログスイッチ７１，７３は電源供給線３５のプラス側の電源供給線３５ａを介して記憶回路２５に接続されており、アナログスイッチ７２，７４は電源供給線３５のマイナス側の電源供給線３５ｂを介して記憶回路２５に接続されている（図３参照）。
【００５５】
アナログスイッチ７１，７２は、アナログスイッチ６１を介して供給された極性信号ＰＯＬがローレベルのとき（インバータ６２ａの出力端子においてハイレベルのとき）にオンする。また、アナログスイッチ７１，７２は、記憶回路部６２によって保持される信号がインバータ６２ｂの出力端子においてローレベルのとき（インバータ６２ａの出力端子においてハイレベルのとき）にオンする。これにより、プラス側の電源供給線３５ａを介して記憶回路２５に電位ＶＤＤ＋を有する電源電圧が供給されるとともに、マイナス側の電源供給線３５ｂを介して記憶回路２５に電位ＶＳＳ＋を有する電源電圧が供給される。一方、アナログスイッチ７３，７４は、アナログスイッチ６１を介して供給された極性信号ＰＯＬがハイレベルのとき（インバータ６２ａの出力端子においてローレベルのとき）にオンする。また、アナログスイッチ７３，７４は、記憶回路部６２によって保持される信号がインバータ６２ｂの出力端子においてハイレベルのとき（インバータ６２ａの出力端子においてローレベルのとき）にオンする。これにより、プラス側の電源供給線３５ａを介して記憶回路２５に電位ＶＤＤ−を有する電源電圧が供給されるとともに、マイナス側の電源供給線３５ｂを介して記憶回路２５に電位ＶＳＳ−を有する電源電圧が供給される。以上により、記憶回路２５には、選択された１組におけるハイレベル用及びローレベル用の各電位を有する電源電圧が供給される。なお記憶回路２５の論理を維持しながら電源電圧を変える場合には、その応答を考慮する必要がある。具体的に述べるならば、応答中（電源電位遷移中）に記憶回路２５に供給される電源電位のうち、高位側は常に低位側より高い電位に維持したい。電位関係が逆転（もしくはＴＦＴのしきい値近傍にまで電位差が接近）した場合には、記憶論理が破壊されてしまう場合が考えられる。そのためにアナログスイッチ７１の能力をアナログスイッチ７２より高めることが好ましい。同様にアナログスイッチ７４の能力をアナログスイッチ７３より高めることが好ましい。このような構成にすれば、＋側の電源に切り替える場合にはアナログスイッチ７１の能力がアナログスイッチ７２より高いためにＶＤＤ＋への遷移がＶＳＳ＋への遷移より早く行われる。同様に−側の電源に切り替える場合にはアナログスイッチ７４の能力がアナログスイッチ７３より高いためにＶＳＳ−への遷移がＶＤＤ−への遷移より早く行われる。
【００５６】
図３は、本実施形態の各画素Ｐｉｊを示す回路図である。図３に示されるように、各画素Ｐｉｊは、前記画素電極２１と対向電極２２との間に電気光学物質としての液晶が挟持（介装）されて液晶容量素子２３を形成している。この対向電極２２には、全画素に共通して後述の所定電位（ＶＣ）を有する対向電極信号ＣＯＭが供給される。
【００５７】
画素Ｐｉｊの標本化回路２４はアナログスイッチにて構成されており、前記走査線対Ｙａｉ，Ｙｂｉに接続されている。既述のように、標本化回路２４は、動作モード信号がハイレベル（動画モード）のときにハイレベルの走査信号が供給されると、一方の走査線対Ｙａｉにハイレベルとなる走査信号ＷＲＴが供給されるとともに、他方の走査線対Ｙｂｉにローレベルとなるその反転信号ＷＲＴＸが供給されてオンする。そして、データ線Ｘｊからのデータ信号を記憶回路２５に出力する。
【００５８】
記憶回路２５は２個のインバータ２５ａ，２５ｂで構成されており、既述のようにプラス側及びマイナス側の２本の電源供給線３５ａ，３５ｂによって給電されている。従って、記憶回路２５により保持される論理は、ハイレベルに対してプラス側の電源供給線３５ａから給電される電位を有するとともに、ローレベルに対してマイナス側の電源供給線３５ｂによって給電される電位を有する。
【００５９】
記憶回路２５は、標本化回路２４及び読み出し回路２６に接続されており、標本化回路２４のオン状態（動作モード信号がハイレベルのときにハイレベルの走査信号が供給される状態）ではデータ線Ｘｊからのデータ信号を読み出し回路２６に出力する。
【００６０】
一方、記憶回路２５は、標本化回路２４のオフ状態ではオフ状態に切り替わる直前の論理（データ信号のレベル）を保持して読み出し回路２６に出力する。すなわち、記憶回路２５は、インバータ２５ａ，２５ｂの各出力端子がそれぞれ読み出し回路２６に接続されており、保持する論理に応じたハイレベル及びローレベルの電位を読み出し回路２６に出力する。記憶回路２５によって保持される論理に対応したハイレベル及びローレベルの各電位は、標本化回路２４（及びアナログスイッチ６１）がオフ状態に切り替わる直前の極性信号ＰＯＬに応じて電源選択回路１７により供給されるプラス側及びマイナス側の１組の電源電圧の電位を有することはいうまでもない。
【００６１】
読み出し回路２６は、Ｎチャネル型ＴＦＴ２６ａ及びＰチャネル型ＴＦＴ２６ｂによって構成されており、これらＴＦＴの各ソースが記憶回路２５及び標本化回路２４に接続されるとともに、各ドレインが画素電極２１に接続されている。すなわち、Ｎチャネル型ＴＦＴ２６ａのソースは標本化回路２４及びインバータ２５ｂの出力端子に接続されており、Ｐチャネル型ＴＦＴ２６ｂのソースは標本化回路２４及びインバータ２５ｂの出力端子に接続されている。そして、これらＴＦＴの各ゲートは極性線３１ａを介してラッチ回路１６のアナログスイッチ６１及びインバータ６２ｂの出力端子に接続されている。つまり、Ｎチャネル型ＴＦＴ２６ａ及びＰチャネル型ＴＦＴ２６ｂの各ゲートには、アナログスイッチ６１を介した極性信号ＰＯＬ若しくは記憶回路部６２により保持されたインバータ６２ｂの出力端子の信号が供給される。従って、これらＮチャネル型ＴＦＴ２６ａ及びＰチャネル型ＴＦＴ２６ｂは、各ゲートに供給される信号のレベル（極性）に応じていずれか一方がオンする。
【００６２】
すなわち、Ｎチャネル型ＴＦＴ２６ａ及びＰチャネル型ＴＦＴ２６ｂの各ゲートに供給される信号がハイレベルのときには、Ｎチャネル型ＴＦＴ２６ａがオンして標本化回路２４を介したデータ信号の電位若しくは記憶回路２５により保持されたインバータ２５ｂの出力端子の電位が画素電極２１に供給される。一方、Ｎチャネル型ＴＦＴ２６ａ及びＰチャネル型ＴＦＴ２６ｂの各ゲートに供給される電位がローレベルのときには、Ｐチャネル型ＴＦＴ２６ｂがオンして標本化回路２４を介したデータ信号の電位若しくは記憶回路２５により保持されたインバータ２５ａの出力端子の電位が画素電極２１に供給される。
【００６３】
図４は、本実施形態における液晶表示装置の駆動態様を示すタイムチャートである。以下、各画素を駆動する際の動作について図４を併せ参照して説明する。なお、本実施形態では、１フレームごとに極性信号ＰＯＬを反転させてこれに基づき画素電極２１に正極性の信号と負極性の信号とを交互に書き込む、いわゆるＶ反転駆動法にて液晶を交流駆動する。従って、例えばデータ信号の供給は、全ての画素Ｐｉｊについて同一極性の極性信号ＰＯＬに対応して行われる。
【００６４】
図４に示されるように、前記電源生成回路３２により供給される電源電圧の電位ＶＤＤ＋，ＶＳＳ＋，ＶＤＤ−，ＶＳＳ−の関係について説明すると、ＶＤＤ＋＞ＶＳＳ＋＞ＶＤＤ−＞ＶＳＳ−となっている。対向電極２２に供給される対向電極信号ＣＯＭの電位ＶＣは、電位ＶＳＳ＋，ＶＤＤ−の中間の電位となっている。そして、電位ＶＳＳ＋，ＶＣ間の電圧及び電位ＶＣ，ＶＤＤ−間の電圧は同等に設定されている。また、電位ＶＤＤ＋，ＶＣ間の電圧及び電位ＶＣ，ＶＳＳ−間の電圧も同等に設定されている。さらに、本実施形態において黒表示に対応する電位ＶＳＳ＋，ＶＣ間及び電位ＶＣ，ＶＤＤ−間の各電圧の大きさは、白表示に対応する電位ＶＤＤ＋，ＶＣ間及び電位ＶＣ，ＶＳＳ−間の各電圧の大きさよりも大きく設定されている。つまり、本実施形態では、黒表示に対応して液晶に対しより大きな電界を印加するいわゆるノーマリーホワイトモードを採用している。階調に応じて液晶に印加する電界の大小関係を逆転させることでノーマリーブラックモードへの置き換えを容易に行えることは言うまでもない。さらに、極性信号ＰＯＬのローレベルの電位は電位ＶＳＳ−に設定されており、ハイレベルの電位は電位ＶＤＤ＋に設定されている。これは、Ｎチャネル型ＴＦＴ２６ａ若しくはＰチャネル型ＴＦＴ２６ｂをオンして記憶回路２５に保持される論理を書き換えるのに十分な電位に設定するためである。
【００６５】
ここで、動作モード信号がハイレベル（動画モード）にあり、且つ、走査線Ｙｉにハイレベルの電位を有する走査信号が供給されている（走査線Ｙｉが選択状態にある）として液晶表示装置の動作を説明する。このとき、標本化回路２４がオンしてデータ線Ｘｊからのデータ信号が当該走査線Ｙｉ上の画素電極２１に供給されるとともに、ラッチ回路１６のアナログスイッチ６１がオンして極性信号ＰＯＬが読み出し回路２６（Ｎチャネル型ＴＦＴ２６ａ及びＰチャネル型ＴＦＴ２６ｂの各ゲート）に出力される。
【００６６】
このとき、極性信号ＰＯＬがローレベルであると、図４に示されるように、階調電源選択回路１４はデータ線駆動回路１３に対して黒表示用及び白表示用の電位ＶＤＤ＋，ＶＳＳ＋を有する電源電圧を供給する。従って、データ線駆動回路１３は、映像信号に基づき黒表示用に電位ＶＤＤ＋を有するデータ信号若しくは白表示用に電位ＶＳＳ＋を有するデータ信号をデータ線Ｘｊに出力する。また、電源選択回路１７は、記憶回路２５に対してプラス側用及びマイナス側用の電位ＶＤＤ＋，ＶＳＳ＋を有する電源電圧を供給する。さらに、Ｎチャネル型ＴＦＴ２６ａ及びＰチャネル型ＴＦＴ２６ｂの各ゲートには、ラッチ回路１６のアナログスイッチ６１を介して電位ＶＳＳ−を有するローレベルの極性信号ＰＯＬが供給される。これにより、Ｐチャネル型ＴＦＴ２６ｂがオンしてデータ線Ｘｊからのデータ信号が画素電極２１に供給される。
【００６７】
例えば、データ線駆動回路１３が黒表示用に電位ＶＤＤ＋を有するデータ信号をデータ線Ｘｊに出力したとする。このとき、Ｐチャネル型ＴＦＴ２６ｂを介して画素電極２１は電位ＶＤＤ＋に設定され、対向電極２２との間に電位ＶＤＤ＋，ＶＣ間の黒表示用の電圧が印加される。そして、当該画素Ｐｉｊはこの印加電圧に応じた表示状態（黒表示）を示す。一方、データ線駆動回路１３が白表示用に電位ＶＳＳ＋を有するデータ信号をデータ線Ｘｊに出力したとする。このとき、Ｐチャネル型ＴＦＴ２６ｂを介して画素電極２１は電位ＶＳＳ＋に設定され、対向電極２２との間に電位ＶＳＳ＋，ＶＣ間の白表示用の電圧が印加される。そして、当該画素Ｐｉｊはこの印加電圧に応じた表示状態（白表示）を示す。
【００６８】
一方、極性信号ＰＯＬがハイレベルであると、図４に示されるように、階調電源選択回路１４はデータ線駆動回路１３に対して黒表示用及び白表示用の電位ＶＳＳ−，ＶＤＤ−を有する電源電圧を供給する。従って、データ線駆動回路１３は、映像信号に基づき黒表示用に電位ＶＳＳ−を有するデータ信号若しくは白表示用に電位ＶＤＤ−を有するデータ信号をデータ線Ｘｊに出力する。また、電源選択回路１７は、記憶回路２５に対してプラス側用及びマイナス側用の電位ＶＤＤ−，ＶＳＳ−を有する電源電圧を供給する。さらに、Ｎチャネル型ＴＦＴ２６ａ及びＰチャネル型ＴＦＴ２６ｂの各ゲートには、ラッチ回路１６のアナログスイッチ６１を介して電位ＶＤＤ＋を有するハイレベルの極性信号ＰＯＬが供給される。これにより、Ｎチャネル型ＴＦＴ２６ａがオンしてデータ線Ｘｊからのデータ信号が画素電極２１に供給される。
【００６９】
例えば、データ線駆動回路１３が黒表示用に電位ＶＳＳ−を有するデータ信号をデータ線Ｘｊに出力したとする。このとき、Ｎチャネル型ＴＦＴ２６ａを介して画素電極２１は電位ＶＳＳ−に設定され、対向電極２２との間に電位ＶＳＳ−，ＶＣ間の黒表示用の電圧が印加される。そして、当該画素Ｐｉｊはこの印加電圧に応じた表示状態（黒表示）を示す。一方、データ線駆動回路１３が白表示用に電位ＶＤＤ−を有するデータ信号をデータ線Ｘｊに出力したとする。このとき、Ｎチャネル型ＴＦＴ２６ａを介して画素電極２１は電位ＶＤＤ−に設定され、対向電極２２との間に電位ＶＤＤ−，ＶＣ間の白表示用の電圧が印加される。そして、当該画素Ｐｉｊはこの印加電圧に応じた表示状態（白表示）を示す。
【００７０】
次いで、走査線Ｙｉに供給される走査信号の電位がローレベルに切り替わった（走査線Ｙｉが非選択状態にある）として液晶表示装置の動作を説明する。このとき、標本化回路２４がオフしてデータ線Ｘｊと遮断されるとともに、ラッチ回路１６のアナログスイッチ６１がオフして極性線３１との間が遮断され、記憶回路部６２は走査信号がローレベルに切り替わる直前の極性信号ＰＯＬの極性を保持する。これにより、電源選択回路１７は、記憶回路２５に対して走査信号がローレベルに切り替わる直前の極性信号ＰＯＬの極性に対応するプラス側用及びマイナス側用の電位を有する電源電圧を供給し続け、記憶回路２５ではそのときの論理が保持される。さらに、走査信号がローレベルに切り替わる直前の極性信号ＰＯＬの極性に対応してＮチャネル型ＴＦＴ２６ａ若しくはＰチャネル型ＴＦＴ２６ｂがオンする。従って、画素電極２１は、走査信号がローレベルに切り替わる直前の電位に保持される。
【００７１】
例えば、走査信号がローレベルに切り替わる直前の極性信号ＰＯＬがローレベルであり、画素電極２１が黒表示用に電位ＶＤＤ＋を有していたとする。この状態で走査信号がローレベルに切り替わると、記憶回路２５により論理が保持されてインバータ２５ａの出力端子はハイレベルである電位ＶＤＤ＋を有するとともにインバータ２５ｂの出力端子はローレベルである電位ＶＳＳ＋を有する。従って、Ｐチャネル型ＴＦＴ２６ｂを介して画素電極２１は電位ＶＤＤ＋に保持され、対向電極２２との間に電位ＶＤＤ＋，ＶＣ間の黒表示用の電圧印加が継続される。そして、当該画素Ｐｉｊはこの印加電圧に応じた表示状態（黒表示）を維持する。一方、走査信号がローレベルに切り替わる直前の極性信号ＰＯＬがローレベルであり、画素電極２１が白表示用に電位ＶＳＳ＋を有していたとする。この状態で走査信号がローレベルに切り替わると、記憶回路２５により論理が保持されてインバータ２５ａの出力端子はローレベルである電位ＶＳＳ＋を有するとともにインバータ２５ｂの出力端子はハイレベルである電位ＶＤＤ＋を有する。従って、Ｐチャネル型ＴＦＴ２６ｂを介して画素電極２１は電位ＶＳＳ＋に保持され、対向電極２２との間に電位ＶＳＳ＋，ＶＣ間の白表示用の電圧印加が継続される。そして、当該画素Ｐｉｊはこの印加電圧に応じた表示状態（白表示）を維持する。
【００７２】
一方、走査信号がローレベルに切り替わる直前の極性信号ＰＯＬがハイレベルであり、画素電極２１が黒表示用に電位ＶＳＳ−を有していたとする。この状態で走査信号がローレベルに切り替わると、記憶回路２５により論理が保持されてインバータ２５ａの出力端子はハイレベルである電位ＶＤＤ−を有するとともにインバータ２５ｂの出力端子はローレベルである電位ＶＳＳ−を有する。従って、Ｎチャネル型ＴＦＴ２６ａを介して画素電極２１は電位ＶＳＳ−に保持され、対向電極２２との間に電位ＶＳＳ−，ＶＣ間の黒表示用の電圧印加が継続される。そして、当該画素Ｐｉｊはこの印加電圧に応じた表示状態（黒表示）を維持する。一方、走査信号がローレベルに切り替わる直前の極性信号ＰＯＬがハイレベルであり、画素電極２１が白表示用に電位ＶＤＤ−を有していたとする。この状態で走査信号がローレベルに切り替わると、記憶回路２５により論理が保持されてインバータ２５ａの出力端子はローレベルである電位ＶＳＳ−を有するとともにインバータ２５ｂの出力端子はハイレベルである電位ＶＤＤ−を有する。従って、Ｎチャネル型ＴＦＴ２６ａを介して画素電極２１は電位ＶＤＤ−に保持され、対向電極２２との間に電位ＶＤＤ−，ＶＣ間の白表示用の電圧印加が継続される。そして、当該画素Ｐｉｊはこの印加電圧に応じた表示状態（白表示）を維持する。
【００７３】
なお、動作モード信号がハイレベル（動画モード）では、１フレームが終了して極性信号ＰＯＬが反転すると、その極性に応じて上記と同様に画素電極２１へのデータ信号の供給及び記憶回路２５によって保持される論理に応じた画素電極２１の電位の保持が行われる。
【００７４】
次に、動作モード信号がローレベル（静止画モード）において、記憶回路２５により所定論理が保持されているとして液晶表示装置の動作を説明する。例えば、極性信号ＰＯＬがローレベルからハイレベルに切り替わったとして、画素電極２１がＰチャネル型ＴＦＴ２６ｂを介して黒表示用の電位ＶＤＤ＋に保持されていたとする。このとき、当該走査線Ｙｉにハイレベルとなる走査信号が供給されると、アナログスイッチ６１がオンしてハイレベルの極性信号ＰＯＬが供給される。そして、電源選択回路１７は、記憶回路２５に対してプラス側用及びマイナス側用の電位ＶＤＤ−，ＶＳＳ−を有する電源電圧に切り替えて供給する。従って、記憶回路２５により保持される論理に対応してインバータ２５ａの出力端子が電位ＶＤＤ＋から電位ＶＤＤ−に切り替えられ、インバータ２５ｂの出力端子が電位ＶＳＳ＋から電位ＶＳＳ−に切り替えられる。同時に、Ｎチャネル型ＴＦＴ２６ａ及びＰチャネル型ＴＦＴ２６ｂの各ゲートには、ラッチ回路１６のアナログスイッチ６１を介してハイレベルの極性信号ＰＯＬが供給される。これにより、Ｎチャネル型ＴＦＴ２６ａがオンしてこれを介して画素電極２１は電位ＶＳＳ−に切り替えられ、対向電極２２との間に電位ＶＳＳ−，ＶＣ間の黒表示用の電圧が印加される。そして、当該画素Ｐｉｊはこの極性が切り替わった印加電圧に基づき同様の表示状態（黒表示）を維持する。
【００７５】
一方、極性信号ＰＯＬがローレベルからハイレベルに切り替わったとして、画素電極２１がＰチャネル型ＴＦＴ２６ｂを介して白表示用の電位ＶＳＳ＋に保持されていたとする。このとき、当該走査線Ｙｉにハイレベルとなる走査信号が供給されると、アナログスイッチ６１がオンしてハイレベルの極性信号ＰＯＬが供給される。そして、電源選択回路１７は、記憶回路２５に対してプラス側用及びマイナス側用の電位ＶＤＤ−，ＶＳＳ−を有する電源電圧に切り替えて供給する。従って、記憶回路２５により保持される論理に対応してインバータ２５ａの出力端子が電位ＶＳＳ＋から電位ＶＳＳ−に切り替えられ、インバータ２５ｂの出力端子が電位ＶＤＤ＋から電位ＶＤＤ−に切り替えられる。同時に、Ｎチャネル型ＴＦＴ２６ａ及びＰチャネル型ＴＦＴ２６ｂの各ゲートには、ラッチ回路１６のアナログスイッチ６１を介してハイレベルの極性信号ＰＯＬが供給される。これにより、Ｎチャネル型ＴＦＴ２６ａがオンしてこれを介して画素電極２１は電位ＶＤＤ−に切り替えられ、対向電極２２との間に電位ＶＤＤ−，ＶＣ間の白表示用の電圧が印加される。そして、当該画素Ｐｉｊはこの極性が切り替わった印加電圧に基づき同様の表示状態（白表示）を維持する。
【００７６】
静止画モードにおける極性信号ＰＯＬのハイレベルからローレベルへの切り替えについても、上記に準じて極性が切り替わった印加電圧に基づき表示状態が維持される。走査信号がローレベルに切り替わると、アナログスイッチ６１がオフして記憶回路部６２により直前の極性信号ＰＯＬの極性が保持されるのは既述のとおりである。
【００７７】
なお、動作モード信号がローレベル（静止画モード）にあるとき、極性信号ＰＯＬの極性に関わらず、階調電源選択回路１４は黒表示用及び白表示用の各電位の選択（切り替え）を行わない。これは、書き込み動作がないためデータ信号の電位を選択する必要がないためである。また、走査線駆動回路１２からの走査信号に関わらず、選択許可回路１５により標本化回路２４はオフとなる。これは、書き込み動作がないためデータ信号を入力する必要がないためである。
【００７８】
以上により、静止画モードでは、走査線Ｙｉへの走査信号の出力によって当該走査線Ｙｉのラッチ回路１６及び電源選択回路１７のみが動作する。従って、静止画モードでは、走査線駆動回路１２は極性サンプリング回路として機能する。そして、極性サンプリングの結果、ラッチ回路１６を介した極性信号ＰＯＬの極性（論理）が変わると、電源選択回路１７及び読み出し回路２６の論理が変わる。電源選択回路１７のプラス側及びマイナス側の各電位は概ね同時に遷移するため、記憶回路２５は論理を保持したまま当該論理に対応した電位に切り替わる。同時に、読み出し回路２６の論理が変わるために、記憶回路２５から取り出す論理が反転し、上述の態様で画素電極２１の電位が変わる。この画素電極２１の電位の切り替えが、各走査線Ｙｉの選択期間に対応して順次各ラインごとに行われるのはいうまでもない。これら画素電極２１の電位の切り替えに対し、対向電極２２の対向電極信号ＣＯＭが所定電位ＶＣに固定されているのは既述のとおりであり、画素電極２１及び対向電極２２間には黒表示若しくは白表示に応じた電圧が極性反転しつつ印加される。これにより、液晶容量素子２３に印加される電界が切り替えられ、静止画モードにおける液晶の交流駆動が実現される。
【００７９】
特に、極性反転動作が、走査線駆動回路１２によって順次各ライン（走査線Ｙｉ）ごとに行われることで、所定電位ＶＣに保持される対向電極２２に対して、極性反転動作には走査線駆動回路１２の駆動と１ライン反転分の駆動負荷で十分となる。
【００８０】
以上詳述したように、本実施形態によれば、以下に示す効果が得られるようになる。
（１）本実施形態では、電源選択回路１７により記憶回路２５には、極性信号ＰＯＬの論理の切り替えに基づき切り替えられた電源が供給される。同時に、画素電極２１には、読み出し回路２６により記憶回路２５に記憶された論理の読み出しが切り替えられて供給される。つまり、画素電極２１には、極性信号ＰＯＬの論理の切り替えに対し、同一階調となる逆極性の電位が供給される。これにより、対向電極２２を所定電位ＶＣに設定・保持したまま、極性信号ＰＯＬに基づき画素電極２１及び対向電極２２間の電界を切り替えて液晶の交流駆動が実現される。このとき、負荷容量が大きな対向電極２２を極性反転させる必要がないため、極性の切り替え時のピーク電流の発生を抑制でき、その分、駆動能力の小さな電源を採用することができる。そして、電源の駆動能力の低減に伴いその消費電力を低減することができる。
【００８１】
（２）本実施形態では、電源選択回路１７を、極性信号ＰＯＬの論理に応じて記憶回路２５の各論理の電位を１組とする２組からいずれか１組を選択して記憶回路２５に供給する極めて簡易な構成にできる。
【００８２】
（３）本実施形態では、極性信号ＰＯＬの論理に応じて、各階調の電位を１組とする２組からいずれか１組を選択する極めて簡易な構成の階調電源選択回路１４により、画素電極２１に供給されるデータ信号の電位を設定できる。
【００８３】
（４）本実施形態では、信号線制御回路１０により静止画モードが選択されているとき、階調電源選択回路１４による極性信号ＰＯＬの論理に応じたデータ信号の各階調の電位の選択を行わないことで、同選択動作のための駆動が不用になる分、消費電力を低減できる。
【００８４】
（５）本実施形態では、静止画モードでは、走査線Ｙｉの選択・非選択に応じて極性信号ＰＯＬの電源選択回路１７及び読み出し回路２６への供給・保持が切り替えられる。従って、１フレームごとに極性信号ＰＯＬを反転させる場合、走査線Ｙｉの順次選択に合わせて論理反転した極性信号ＰＯＬが供給され、選択後に保持されることにより、液晶の交流駆動が実現される。これにより、静止画モードにおいて、極性信号ＰＯＬを電源選択回路１７及び読み出し回路２６に供給し、若しくは保持するための構成を簡易化できる。
【００８５】
（第２実施形態）
以下、本発明を液晶表示装置に適用した第２実施形態について図を参照しつつ説明する。なお、第２実施形態は、第１実施形態の白表示用の電位（ＶＳＳ＋，ＶＤＤ−）を対向電極信号ＣＯＭの電位ＶＣに一致させるようにした構成であるため、同様の部分についてはその詳細な説明は省略する。
【００８６】
図５は、本実施形態の液晶表示装置の細部構成を示す電気回路図である。同図に示されるように、本実施形態の階調電源選択回路８０は、白表示用の構成（アナログスイッチ４３，４５及び白表示用電源線３４ｂ）が割愛されており、データ線駆動回路１３には白表示用電源線８１を介して電位ＶＣを有する電源電圧が継続的に供給されている。また、電源選択回路１７のアナログスイッチ７２，７３には、電位ＶＣを有する電源電圧がそれぞれ印加されている。
【００８７】
図６は、本実施形態における液晶表示装置の駆動態様を示すタイムチャートである。以下、各画素を駆動する際の動作について図６を併せ参照して説明する。なお、本実施形態でも、１フレームごとに極性信号ＰＯＬを反転させてこれに基づき画素電極２１に正極性の信号と負極性の信号とを交互に書き込む、Ｖ反転駆動法にて液晶を交流駆動する。
【００８８】
図６に示されるように、電位ＶＳＳ＋，ＶＤＤ−は対向電極信号ＣＯＭの電位ＶＣと一致している。従って、ＶＤＤ＋＞ＶＳＳ＋＝ＶＤＤ−＝ＶＣ＞ＶＳＳ−となっている。そして、電位ＶＳＳ＋，ＶＣ間の電圧及び電位ＶＣ，ＶＤＤ−間の電圧は零に設定されている。
【００８９】
本実施形態でも、黒表示に対応して液晶に対しより大きな電界を印加するいわゆるノーマリーホワイトモードを採用している。階調に応じて液晶に印加する電界の大小関係を逆転させることでノーマリーブラックモードへの置き換えを容易に行えることは言うまでもない。動作モード信号に応じた液晶表示装置の各種動作は、白表示に対応して上記電圧が零になることを除いて第１実施形態と同様であるため、ここでは説明を割愛する。
【００９０】
以上詳述したように、本実施形態によれば、前記第１実施形態の効果に加えて以下に示す効果が得られるようになる。
（１）本実施形態では、画素電極２１に供給されるデータ信号の各組の白表示用の電位（ＶＳＳ＋，ＶＤＤ−）が対向電極２２と同じ所定電位（対向電極電位）ＶＣに設定されることで、必要な電位の種類が低減される分、電源供給のための構成を簡易化できる。
【００９１】
（電子機器）
次に、上述した各実施形態に係る電気光学装置を電子機器に用いた例について説明する。こうした電気光学装置は、パーソナルコンピュータ、モバイル型コンピュータ、カーナビゲーション装置、携帯電話、デジタルスチルカメラ、投射型表示装置に適用可能である。また、テレビ、ページャ、電子手帳、電子書籍、電卓、ワードプロセッサ、ビューファインダー型又はモニタ直視型のビデオテープレコーダ、ワークステーション、テレビ電話、ＰＯＳ端末、タッチパネルを備えた機器等の種々の電子機器に適用可能である。電気光学装置を、これらの機器に適用した場合でも、前記各実施形態と同様な効果を発揮する。
【００９２】
＜携帯電話＞
図７に示されるように、携帯電話１０１には、光学駆動部１０２及びモニタ部１０３が備えられている。この光学駆動部１０２には、レンズや焦点を合わせるための駆動機構等が収められている。モニタ部１０３は、例えば液晶ディスプレイにより構成されている。このモニタ部１０３には、光学駆動部１０２を用いて撮像された画像、キーボード１０４から入力された文字及びメニュー画面等が出力表示される。従って、ユーザは、モニタ部１０３を介して、撮像される又は撮像された画像やキーボード１０４から入力された文字を確認することができる。
【００９３】
更に、この携帯電話１０１は、シャッターボタン１０５、メニューボタン１０６及び電源ボタン１０７を有している。シャッターボタン１０５が押下されることにより、静止画像のデータが記憶される。メニューボタン１０６が押下されることにより、モニタ部１０３に表示される画像の明るさやコントラストなどの調節が行われる。電源ボタン１０７が押下されると、電源の投入又は切断が行われる。
【００９４】
（変形例）
本発明は上述した実施形態に限定されるものではなく、例えば以下のように種々の変形が可能である。
・前記各実施形態においては、動画モードにおいて各走査線Ｙｉを順番に選択して画像の書き換え（階調の変更）を行った。これに対し、今回フレームにおいて前回フレームから階調が変化する画素Ｐｉｊの走査線若しくは走査線のブロックのみを選択して画像の書き換え（階調の変更）を行う駆動方法を採用してもよい。この場合、１フレームの時間を一定として選択される走査線数に応じて各走査線の選択期間を等分してもよい。あるいは、各走査線の選択期間を一定として選択される走査線数に応じて１フレームを伸縮してもよい。
・極性反転モードについてはフレーム反転を例として記述したが、任意水平期間毎の反転も可能であるとは言うまでもない。
【００９５】
・前記各実施形態において、静止画モードのときの走査線Ｙｉの選択周期（走査線Ｙｉの選択間隔）は、動画モードのときの走査線Ｙｉの選択周期よりも長く設定してもよい。この場合、静止画モードのときの走査線Ｙｉの選択周期が長く設定される分、同選択動作のための頻度を減少し消費電力を低減することができる。
【００９６】
・前記各実施形態においては、液晶表示装置に本発明を適用した例を説明したが、本発明は液晶表示装置に限定されるものではない。液晶以外の様々な電気光学物質を用いた電気光学装置及び電気光学装置を備えた電子機器に適用可能であることは言うまでもない。
【図面の簡単な説明】
【図１】本発明の第１実施形態を示すブロック図。
【図２】同実施形態の電気回路図。
【図３】同実施形態の電気回路図。
【図４】同実施形態の駆動態様を示すタイムチャート。
【図５】本発明の第２実施形態の電気回路図。
【図６】同実施形態の駆動態様を示すタイムチャート。
【図７】携帯電話の構成を示す斜視図。
【図８】従来例を示す電気回路図。
【図９】従来例の駆動態様を示すタイムチャート。
【符号の説明】
１０…制御手段としての信号線制御回路、１１…液晶パネル、１２…極性反転回路として動作する走査線駆動回路、１４…階調電源選択手段としての階調電源選択回路、１５…選択許可手段としての選択許可回路、１６…極性信号処理手段としてのラッチ回路、１７…電源選択手段としての電源選択回路、２１…画素電極、２２…対向電極、２５…記憶手段としての記憶回路、２６…読み出し手段としての読み出し回路、Ｙｉ…走査線、Ｘｊ…データ線。
【図１】
2005010617.tif 000003
【図２】
2005010617.tif 000004
【図３】
2005010617.tif 000005
【図４】
2005010617.tif 000006
【図５】
2005010617.tif 000007
【図６】
2005010617.tif 000008
【図７】
2005010617.tif 000009
【図８】
2005010617.tif 000010
【図９】
2005010617.tif 000011